(57)【特許請求の範囲】
【請求項１】
音声指紋情報の入力に対してコンテンツ情報を出力するコンテンツ識別サーバと、自身が出力可能な音声の音声指紋情報を送信可能な複数の機器と、ポータブル端末とを備えたペアリングシステムであって、
前記ポータブル端末は、
外部から音声を入力可能な音声入力部と、
前記音声入力部より入力された音声の音声指紋情報を生成する音声指紋情報生成部と、
前記音声指紋情報生成部によって生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する、通信部と、
前記受信したコンテンツ情報のうち前記第１のコンテンツ情報と一致するコンテンツ情報に対応する音声指紋情報を送信した機器とのペアリングを確立するペアリング機器決定部と、を備えたことを特徴とするペアリングシステム。
【請求項２】
音声指紋情報の入力に対してコンテンツ情報を出力するコンテンツ識別サーバと、視聴中のコンテンツのコンテンツ情報を送信可能な複数の機器と、ポータブル端末とを備えたペアリングシステムであって、
前記ポータブル端末は、
外部から音声を入力可能な音声入力部と、
前記音声入力部より入力された音声の音声指紋情報を生成する音声指紋情報生成部と、
前記音声指紋情報生成部によって生成された音声指紋情報を前記コンテンツ識別サーバに送信して第１のコンテンツ情報を受信すると共に、前記複数の機器から受信したそれぞれの音声指紋情報に対応するコンテンツ情報を受信する、通信部と、
前記受信した前記コンテンツ情報のうち前記第１のコンテンツ情報と一致するコンテンツ情報を送信した機器とのペアリングを確立するペアリング機器決定部と、を備えることを特徴とするペアリングシステム。
【請求項３】
コンテンツ識別サーバと、自身が出力可能な音声の音声指紋情報を前記コンテンツ識別サーバに送信可能な複数の機器と、ポータブル端末とを備えたペアリングシステムであって、
前記ポータブル端末は、
外部から音声を入力可能な音声入力部と、
前記音声入力部より入力された音声の音声指紋情報を生成する音声指紋情報生成部と、
前記音声指紋情報生成部によって生成された音声指紋情報を前記コンテンツ識別サーバに送信する通信部とを備え、
前記コンテンツ識別サーバは、
前記通信部が送信する音声指紋情報を受信する副通信部と、
前記副通信部が受信した音声指紋情報に対応するコンテンツ情報を出力するコンテンツ識別部と、
前記ポータブル端末から受信した音声指紋情報に対応するコンテンツ情報と一致するコンテンツ情報に対応する音声指紋情報を送信した機器と、前記ポータブル端末とのペアリングを確立する副ペアリング機器決定部と、を備えることを特徴とするペアリングシステム。
【請求項４】
音声指紋情報の入力に対してコンテンツ情報を出力するコンテンツ識別サーバと、入力可能な音声の音声指紋情報を送信可能な複数の機器と、ポータブル端末とを備えたペアリングシステムであって、
前記ポータブル端末は、
外部へ音声を出力可能な音声出力部と、
前記音声出力部より出力した音声の音声指紋情報を生成する音声指紋情報生成部と、
前記音声指紋情報生成部で生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する、通信部と、
前記コンテンツ情報のうち、前記第１のコンテンツ情報と一致するコンテンツ情報に対応する音声指紋情報を送信した機器とのペアリングを確立するペアリング機器決定部と、を備えることを特徴とするペアリングシステム。
【請求項５】
音声指紋情報の入力に対してコンテンツ情報を出力するコンテンツ識別サーバと、入力可能な音声に対応するコンテンツ情報を送信可能な複数の機器と、ポータブル端末とを備えたペアリングシステムであって、
前記ポータブル端末は、
外部へ音声を出力可能な音声出力部と、
前記音声出力部より出力した音声の音声指紋情報を生成する音声指紋情報生成部と、
前記音声指紋情報生成部で生成された音声指紋情報を前記コンテンツ識別サーバに送信して第１のコンテンツ情報を受信すると共に、前記複数の機器から受信したそれぞれの音声指紋情報に対応するコンテンツ情報を受信する、通信部と、
前記コンテンツ情報のうち前記第１のコンテンツ情報と一致するコンテンツ情報を送信した機器とのペアリングを確立するペアリング機器決定部と、を備えることを特徴とするペアリングシステム。
【請求項６】
コンテンツ識別サーバと、入力可能な音声の音声指紋情報を前記コンテンツ識別サーバに送信可能な複数の機器と、ポータブル端末とを備えたペアリングシステムであって、
前記ポータブル端末は、
外部へ音声を出力可能な音声出力部と、
前記音声出力部より出力した音声の音声指紋情報を生成する音声指紋情報生成部と、
前記音声指紋情報生成部で生成された音声指紋情報を前記コンテンツ識別サーバに送信する通信部を備え、
前記コンテンツ識別サーバは、
音声指紋情報を受信する副通信部と、
前記副通信部で受信した音声指紋情報に対応するコンテンツ情報を出力するコンテンツ識別部と、
前記ポータブル端末から受信した音声指紋情報に対応するコンテンツ情報と一致するコンテンツ情報に対応する音声指紋情報を送信した機器と、前記ポータブル端末とのペアリングを確立する副ペアリング機器決定部と、を備えることを特徴とするペアリングシステム。
【請求項７】
前記ポータブル端末に備わる前記通信部は、
前記コンテンツ識別サーバとの間で通信可能な第１の通信部と、
前記複数の機器との間で通信可能な第２の通信部とを備えた、請求項１〜６のうちいずれか一項に記載のペアリングシステム。
【請求項８】
音声指紋情報の入力に対してコンテンツ情報を出力するコンテンツ識別サーバと、自身が出力可能な音声の音声指紋情報を送信可能な複数の機器と、ポータブル端末とにおける、前記機器と前記ポータブル端末とのペアリングを実行するペアリング方法であって、
前記ポータブル端末が外部から音声を入力するステップと、
前記ポータブル端末が入力された音声の音声指紋情報を生成するステップと、
前記ポータブル端末が生成された前記音声指紋情報を前記コンテンツ識別サーバに送信するステップと、
前記ポータブル端末が前記コンテンツ識別サーバから送信される前記音声指紋情報に対応する第１のコンテンツ情報を受信するステップと、
前記ポータブル端末が前記複数の機器からそれぞれの音声指紋情報を受信するステップと、
前記ポータブル端末が前記音声指紋情報を前記コンテンツ識別サーバに送信して、前記音声指紋情報に対応するコンテンツ情報を受信するステップと、
前記受信したコンテンツ情報のうち前記第１のコンテンツ情報と一致するコンテンツ情報に対応する音声指紋情報を送信した機器と、前記ポータブル端末とのペアリングを確立するステップとを含む、ペアリング方法。
【請求項９】
音声指紋情報の入力に対してコンテンツ情報を出力するコンテンツ識別サーバと、視聴中のコンテンツのコンテンツ情報を送信可能な複数の機器と、ポータブル端末とにおける、前記機器と前記ポータブル端末とのペアリングを実行するペアリング方法であって、
前記ポータブル端末が外部から音声を入力するステップと、
前記ポータブル端末が入力された音声の音声指紋情報を生成するステップと、
前記ポータブル端末が生成した前記音声指紋情報を前記コンテンツ識別サーバに送信して、前記音声指紋情報に対応する第１のコンテンツ情報を受信するステップと、
前記ポータブル端末が前記複数の機器からそれぞれのコンテンツ情報を受信するステップと、
前記受信したコンテンツ情報のうち前記第１のコンテンツ情報と一致するコンテンツ情報を送信した機器と、前記ポータブル端末とのペアリングを確立するステップとを含む、ペアリング方法。
【請求項１０】
コンテンツ識別サーバと、自身が出力可能な音声の音声指紋情報を前記コンテンツ識別サーバに送信可能な複数の機器と、ポータブル端末とにおいて、前記機器と前記ポータブル端末とのペアリングを実行するペアリング方法であって、
前記ポータブル端末が外部から音声を入力するステップと、
前記ポータブル端末が入力された音声の音声指紋情報を生成するステップと、
前記ポータブル端末が生成した前記音声指紋情報を前記ポータブル端末が前記コンテンツ識別サーバに送信するステップと、
前記コンテンツ識別サーバが前記ポータブル端末から送信される音声指紋情報を受信するステップと、
前記コンテンツ識別サーバが受信した前記音声指紋情報に対応するコンテンツ情報を出力するステップと、
前記ポータブル端末から送信される音声指紋情報に対応するコンテンツ情報と一致するコンテンツ情報に対応する音声指紋情報を送信した機器と、前記ポータブル端末とのペアリングを確立するステップとを含む、ペアリング方法。
【請求項１１】
音声指紋情報の入力に対してコンテンツ情報を出力するコンテンツ識別サーバと、入力可能な音声の音声指紋情報を送信可能な複数の機器と、ポータブル端末とにおける、前記機器と前記ポータブル端末とのペアリングを実行するペアリング方法であって、
前記ポータブル端末が外部へ音声を出力するステップと、
前記ポータブル端末が出力した音声の音声指紋情報を生成するステップと、
前記ポータブル端末が生成した前記音声指紋情報を前記コンテンツ識別サーバに送信するステップと、
前記ポータブル端末が、前記コンテンツ識別サーバから送信される前記音声指紋情報に対応する第１のコンテンツ情報を受信するステップと、
前記ポータブル端末が前記複数の機器からそれぞれの音声指紋情報を受信するステップと、
前記ポータブル端末が受信した前記音声指紋情報を前記コンテンツ識別サーバに送信するステップと、
前記ポータブル端末が前記コンテンツ識別サーバから送信される、前記複数の機器から受信したそれぞれの音声指紋情報に対応するコンテンツ情報を受信するステップと、
前記コンテンツ情報のうち、前記第１のコンテンツ情報と一致するコンテンツ情報に対応する音声指紋情報を送信した機器とのペアリングを確立するステップとを含む、ペアリング方法。
【請求項１２】
音声指紋情報の入力に対してコンテンツ情報を出力するコンテンツ識別サーバと、入力可能な音声に対応するコンテンツ情報を送信可能な複数の機器と、ポータブル端末とにおける、前記機器と前記ポータブル端末とのペアリングを実行するペアリング方法であって、
前記ポータブル端末が外部へ音声を出力するステップと、
前記ポータブル端末が出力した音声の音声指紋情報を生成するステップと、
前記ポータブル端末が生成した前記音声指紋情報を前記コンテンツ識別サーバに送信するステップと、
前記ポータブル端末が前記コンテンツ識別サーバから送信される、前記音声指紋情報に対応する第１のコンテンツ情報を受信するステップと、
前記ポータブル端末が前記複数の機器からそれぞれの音声指紋情報に対応するコンテンツ情報を受信するステップと、
前記コンテンツ情報のうち前記第１のコンテンツ情報と一致するコンテンツ情報を送信した機器とのペアリングを確立するステップとを含む、ペアリング方法。
【請求項１３】
コンテンツ識別サーバと、入力可能な音声の音声指紋情報を前記コンテンツ識別サーバに送信可能な複数の機器と、ポータブル端末とにおける、前記機器と前記ポータブル端末とのペアリングを実行するペアリング方法であって、
前記ポータブル端末が外部へ音声を出力するステップと、
前記ポータブル端末が出力した音声の音声指紋情報を生成するステップと、
前記ポータブル端末が生成した前記音声指紋情報を前記コンテンツ識別サーバに送信するステップと、
前記コンテンツ識別サーバが、前記ポータブル端末から送信される前記音声指紋情報を受信するステップと、
前記コンテンツ識別サーバが受信した前記音声指紋情報に対応するコンテンツ情報を出力するステップと、
前記ポータブル端末から受信した音声指紋情報に対応するコンテンツ情報と一致するコンテンツ情報に対応する音声指紋情報を送信した機器と、前記ポータブル端末とのペアリングを確立するステップとを含む、ペアリング方法。
【請求項１４】
音声指紋情報の入力に対してコンテンツ情報を出力するコンテンツ識別サーバと、自身が出力可能な音声の音声指紋情報を送信可能な複数の機器とに接続可能なポータブル端末であって、
外部から音声を入力可能な音声入力部と、
前記音声入力部より入力された音声の音声指紋情報を生成する音声指紋情報生成部と、
前記音声指紋情報生成部によって生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する、通信部と、
前記受信したコンテンツ情報のうち前記第１のコンテンツ情報と一致するコンテンツ情報に対応する音声指紋情報を送信した機器とのペアリングを確立するペアリング機器決定部と、を備えた、ポータブル端末。
【請求項１５】
音声指紋情報の入力に対してコンテンツ情報を出力するコンテンツ識別サーバと、視聴中のコンテンツのコンテンツ情報を送信可能な複数の機器とに接続可能なポータブル端末であって、
外部から音声を入力可能な音声入力部と、
前記音声入力部より入力された音声の音声指紋情報を生成する音声指紋情報生成部と、
前記音声指紋情報生成部によって生成された音声指紋情報を前記コンテンツ識別サーバに送信して第１のコンテンツ情報を受信すると共に、前記複数の機器から受信したそれぞれの音声指紋情報に対応するコンテンツ情報を受信する、通信部と、
前記受信した前記コンテンツ情報のうち前記第１のコンテンツ情報と一致するコンテンツ情報を送信した機器とのペアリングを確立するペアリング機器決定部と、を備えた、ポータブル端末。
【請求項１６】
音声指紋情報の入力に対してコンテンツ情報を出力するコンテンツ識別サーバと、入力可能な音声の音声指紋情報を送信可能な複数の機器とに接続可能なポータブル端末であって、
外部へ音声を出力可能な音声出力部と、
前記音声出力部より出力した音声の音声指紋情報を生成する音声指紋情報生成部と、
前記音声指紋情報生成部で生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する、通信部と、
前記コンテンツ情報のうち、前記第１のコンテンツ情報と一致するコンテンツ情報に対応する音声指紋情報を送信した機器とのペアリングを確立するペアリング機器決定部と、を備えた、ポータブル端末。
【請求項１７】
音声指紋情報の入力に対してコンテンツ情報を出力するコンテンツ識別サーバと、入力可能な音声に対応するコンテンツ情報を送信可能な複数の機器とに接続可能なポータブル端末であって、
外部へ音声を出力可能な音声出力部と、
前記音声出力部より出力した音声の音声指紋情報を生成する音声指紋情報生成部と、
前記音声指紋情報生成部で生成された音声指紋情報を前記コンテンツ識別サーバに送信して第１のコンテンツ情報を受信すると共に、前記複数の機器から受信したそれぞれの音声指紋情報に対応するコンテンツ情報を受信する、通信部と、
前記コンテンツ情報のうち前記第１のコンテンツ情報と一致するコンテンツ情報を送信した機器とのペアリングを確立するペアリング機器決定部と、を備えた、ポータブル端末。
【請求項１８】
前記通信部は、
前記コンテンツ識別サーバとの間で通信可能な第１の通信部と、
前記複数の機器との間で通信可能な第２の通信部とを備えた、請求項１４〜１７のうちいずれか一項に記載のポータブル端末。
【発明の詳細な説明】
【技術分野】
【０００１】
本発明は、ネットワークを通じて接続されたＡＶ機器と、ＡＶ機器と連携あるいはＡＶ機器を制御するコントローラとのペアリング方法に関する。また、本発明は、ペアリング処理を実行可能なペアリングシステムに関する。また、本発明は、ペアリングシステムに含まれるポータブル端末に関する。
【背景技術】
【０００２】
家庭内にあるＡＶ（オーディオ・ビジュアル）機器をネットワークで相互に接続し、ＡＶ機器間でコンテンツを共有したり、その他のＡＶ機器を制御する技術が普及するようになってきている。例えば、デジタルビデオレコーダ（ＤＶＲ）のコンテンツを、コントローラを介して、レンダラと呼ばれる機能を有したデジタルテレビ（ＤＴＶ）等の再生装置に再生させて視聴する等のシステムが存在している。このようなシステムでは、ユーザが操作するコントローラにＤＶＲが持つコンテンツのタイトル情報等を表示させて、手元で再生するコンテンツを選択し、ＤＴＶにコンテンツを再生させる、いわゆる「手元操作」と呼ばれる操作が実現可能となる。
【０００３】
図１４、図１５を用いて、サーバ装置のコンテンツを、コントローラを介して再生装置に再生させる技術について説明する。
【０００４】
図１４に示すように、コントローラ１０２と再生装置１０３とサーバ装置１０４は、ケーブル１０７を介して接続されている。このような構成において、サーバ装置１０４のコンテンツを、コントローラ１０２を介して再生装置１０３で再生する際の通信シーケンスを図１５に示す。
【０００５】
コントローラ１０２はまず、ネットワークに接続されている再生装置１０３を検索するための要求を、再生装置１０３へ送信する（Ｓ１４０１）。コントローラ１０２は、再生装置１０３から応答を受信（Ｓ１４０２）すると、検出した再生装置１０３の詳細情報を取得するための要求を再生装置１０３へ送信する（Ｓ１４０３）。コントローラ１０２は、再生装置１０３から詳細情報を受信（Ｓ１４０４）すると、次にネットワークに接続されているサーバ装置１０４を検索する検索要求をサーバ装置１０４へ送信する（Ｓ１４０５）。コントローラ１０２は、サーバ装置１０４から応答を受信（Ｓ１４０６）すると、検出したサーバ装置１０４の詳細情報を取得するための要求をサーバ装置１０４へ送信する（Ｓ１４０７）と共に、サーバ装置１０４からの応答を受信する（Ｓ１４０８）。
【０００６】
コントローラ１０２は、ネットワークに接続されている再生装置１０３とサーバ装置１０４とを検出した後、コンテンツ情報を要求し取得するためのサーバ装置１０４と、コンテンツを再生させるための再生装置１０３とを決定する（Ｓ１４０９）。次に、コントローラ１０２は、サーバ装置１０４に対して、コンテンツ情報取得要求を送信する（Ｓ１４１０）。コントローラ２は、サーバ装置１０４から、要求に対する応答（Ｓ１４１１）としてコンテンツ情報を取得すると、自装置の表示部（不図示）にタイトル等のコンテンツ情報を表示する。コントローラ１０２を操作するユーザは、コントローラ１０２の表示部に表示されたコンテンツ情報から、不図示の操作入力部を操作して、再生するコンテンツを選択する（Ｓ１４１２）。ユーザにより再生するコンテンツが選択されると、コントローラ１０２は、再生装置１０３に対して、コンテンツの所在と識別子を示したコンテンツ再生要求を送信する（Ｓ１４１３）。再生装置１０３は、コンテンツ再生要求を受信すると、応答を返送する（Ｓ１４１４）と共に、要求に記述されたコンテンツの所在先であるサーバ装置１０４に対してコンテンツ取得要求を送信する（Ｓ１４１５）。サーバ装置１０４は、再生装置１０３から送信されるコンテンツ取得要求に対する応答として、コンテンツを再生装置１０２に送信する（Ｓ１４１６）。再生装置１０３は、サーバ装置１０４から送信されるコンテンツを受信すると、コンテンツを表示及び再生する（Ｓ１４１７）。
【先行技術文献】
【特許文献】
【０００７】
【特許文献１】特開２００６−１１５１９６号公報
【発明の概要】
【発明が解決しようとする課題】
【０００８】
図１４及び図１５に示す構成では、コントローラにより検出されたサーバ装置のコンテンツを、コントローラにより検出された再生装置で再生させることは可能となる。一方、図１４及び図１５に示す技術を宅内で実現した場合、再生装置としてのデジタルテレビは、居間、寝室、子供部屋等、複数設置されていることが想定される。また、コントローラは携帯可能機器で、宅内でも自由に持ち運んで使用する場合があると想定される。さらには、宅内にある再生装置、サーバ装置、コントローラは、有線もしくは無線によりネットワーク接続されていることが想定される。ユーザがコントローラを居間で使用する場合には、居間にある再生装置でコンテンツを再生する場合が多い。また、ユーザーがコントローラを寝室で使用する場合には、寝室にある再生装置でコンテンツを再生する場合が多い。しかしながら、従来の技術では、コントローラは、ネットワーク接続された複数の再生装置を検出することになる。そのため、コントローラを自由に持ち運んで使用するユーザは、居間においては居間にある再生装置を、寝室においては寝室にある再生装置を、コントローラにより検出された複数の再生装置の中からマニュアル操作により選択しなければならず、非常に煩雑であるという問題がある。
【０００９】
このような問題に対して、特許文献１では、赤外線方式と電波方式（無線）の二つの通信部を用いて、ユーザに機器を選択させることなしに近接機器とのペアリングを実現している。特許文献１が開示する構成では、近接機器とのペアリングを実現するために、二つの通信部が必要となり、機器が大型化したりコストアップにつながったりするという問題がある。
【００１０】
本願の開示は、上記問題に鑑みてなされたものであり、コントローラの位置に応じて、再生装置等、所望の能力を有し、かつ最も近くにある機器を自動的に選択することが可能となるコントローラ、ペアリングシステム、及びペアリング方法を提供することを目的とする。
【課題を解決するための手段】
【００１１】
本願に開示するペアリングシステムは、音声指紋情報の入力に対してコンテンツ情報を出力するコンテンツ識別サーバと、自身が出力可能な音声の音声指紋情報を送信可能な複数の機器と、ポータブル端末とを備えている。前記ポータブル端末は、外部から音声を入力可能な音声入力部と、前記音声入力部より入力された音声の音声指紋情報を生成する音声指紋情報生成部と、前記音声指紋情報生成部によって生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する通信部と、前記受信したコンテンツ情報のうち前記第１のコンテンツ情報と一致するコンテンツ情報に対応する音声指紋情報を送信した機器とのペアリングを確立するペアリング機器決定部と、を備えたものである。
【００１２】
本願に開示するペアリングシステムは、音声指紋情報の入力に対してコンテンツ情報を出力するコンテンツ識別サーバと、視聴中のコンテンツのコンテンツ情報を送信可能な複数の機器と、ポータブル端末とを備えている。前記ポータブル端末は、外部から音声を入力可能な音声入力部と、前記音声入力部より入力された音声の音声指紋情報を生成する音声指紋情報生成部と、前記音声指紋情報生成部によって生成された音声指紋情報を前記コンテンツ識別サーバに送信して第１のコンテンツ情報を受信すると共に、前記複数の機器から受信したそれぞれの音声指紋情報に対応するコンテンツ情報を受信する通信部と、前記受信した前記コンテンツ情報のうち前記第１のコンテンツ情報と一致するコンテンツ情報を送信した機器とのペアリングを確立するペアリング機器決定部と、を備えたものである。
【００１３】
本願に開示するペアリングシステムは、コンテンツ識別サーバと、自身が出力可能な音声の音声指紋情報を前記コンテンツ識別サーバに送信可能な複数の機器と、ポータブル端末とを備えている。前記ポータブル端末は、外部から音声を入力可能な音声入力部と、前記音声入力部より入力された音声の音声指紋情報を生成する音声指紋情報生成部と、前記音声指紋情報生成部によって生成された音声指紋情報を前記コンテンツ識別サーバに送信する通信部とを備えている。前記コンテンツ識別サーバは、前記通信部が送信する音声指紋情報を受信する副通信部と、前記副通信部が受信した音声指紋情報に対応するコンテンツ情報を出力するコンテンツ識別部と、前記ポータブル端末から受信した音声指紋情報に対応するコンテンツ情報と一致するコンテンツ情報に対応する音声指紋情報を送信した機器と、前記ポータブル端末とのペアリングを確立する副ペアリング機器決定部と、を備えたものである。
【００１４】
本願に開示するペアリングシステムは、音声指紋情報の入力に対してコンテンツ情報を出力するコンテンツ識別サーバと、入力可能な音声の音声指紋情報を送信可能な複数の機器と、ポータブル端末とを備えている。前記ポータブル端末は、外部へ音声を出力可能な音声出力部と、前記音声出力部より出力した音声の音声指紋情報を生成する音声指紋情報生成部と、前記音声指紋情報生成部で生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する通信部と、前記コンテンツ情報のうち、前記第１のコンテンツ情報と一致するコンテンツ情報に対応する音声指紋情報を送信した機器とのペアリングを確立するペアリング機器決定部と、を備えたものである。
【００１５】
本願に開示するペアリングシステムは、音声指紋情報の入力に対してコンテンツ情報を出力するコンテンツ識別サーバと、入力可能な音声に対応するコンテンツ情報を送信可能な複数の機器と、ポータブル端末とを備えている。前記ポータブル端末は、外部へ音声を出力可能な音声出力部と、前記音声出力部より出力した音声の音声指紋情報を生成する音声指紋情報生成部と、前記音声指紋情報生成部で生成された音声指紋情報を前記コンテンツ識別サーバに送信して第１のコンテンツ情報を受信すると共に、前記複数の機器から受信したそれぞれの音声指紋情報に対応するコンテンツ情報を受信する通信部と、前記コンテンツ情報のうち前記第１のコンテンツ情報と一致するコンテンツ情報を送信した機器とのペアリングを確立するペアリング機器決定部と、を備えたものである。
【００１６】
本願に開示するペアリングシステムは、コンテンツ識別サーバと、入力可能な音声の音声指紋情報を前記コンテンツ識別サーバに送信可能な複数の機器と、ポータブル端末とを備えている。前記ポータブル端末は、外部へ音声を出力可能な音声出力部と、前記音声出力部より出力した音声の音声指紋情報を生成する音声指紋情報生成部と、前記音声指紋情報生成部で生成された音声指紋情報を前記コンテンツ識別サーバに送信する通信部を備えている。前記コンテンツ識別サーバは、音声指紋情報を受信する副通信部と、前記副通信部で受信した音声指紋情報に対応するコンテンツ情報を出力するコンテンツ識別部と、前記ポータブル端末から受信した音声指紋情報に対応するコンテンツ情報と一致するコンテンツ情報に対応する音声指紋情報を送信した機器と、前記ポータブル端末とのペアリングを確立する副ペアリング機器決定部と、を備えたものである。
【００１７】
本願に開示するペアリング方法は、音声指紋情報の入力に対してコンテンツ情報を出力するコンテンツ識別サーバと、自身が出力可能な音声の音声指紋情報を送信可能な複数の機器と、ポータブル端末とにおける、前記機器と前記ポータブル端末とのペアリングを実行することができる。ペアリング方法は、前記ポータブル端末が外部から音声を入力するステップと、前記ポータブル端末が入力された音声の音声指紋情報を生成するステップと、前記ポータブル端末が生成された前記音声指紋情報を前記コンテンツ識別サーバに送信するステップと、前記ポータブル端末が前記コンテンツ識別サーバから送信される前記音声指紋情報に対応する第１のコンテンツ情報を受信するステップと、前記ポータブル端末が前記複数の機器からそれぞれの音声指紋情報を受信するステップと、前記ポータブル端末が前記音声指紋情報を前記コンテンツ識別サーバに送信して、前記音声指紋情報に対応するコンテンツ情報を受信するステップと、前記受信したコンテンツ情報のうち前記第１のコンテンツ情報と一致するコンテンツ情報に対応する音声指紋情報を送信した機器と、前記ポータブル端末とのペアリングを確立するステップとを含む。
【００１８】
本願に開示するペアリング方法は、音声指紋情報の入力に対してコンテンツ情報を出力するコンテンツ識別サーバと、視聴中のコンテンツのコンテンツ情報を送信可能な複数の機器と、ポータブル端末とにおける、前記機器と前記ポータブル端末とのペアリングを実行することができる。ペアリング方法は、前記ポータブル端末が外部から音声を入力するステップと、前記ポータブル端末が入力された音声の音声指紋情報を生成するステップと、前記ポータブル端末が生成した前記音声指紋情報を前記コンテンツ識別サーバに送信して、前記音声指紋情報に対応する第１のコンテンツ情報を受信するステップと、前記ポータブル端末が前記複数の機器からそれぞれのコンテンツ情報を受信するステップと、前記受信したコンテンツ情報のうち前記第１のコンテンツ情報と一致するコンテンツ情報を送信した機器と、前記ポータブル端末とのペアリングを確立するステップとを含む。
【００１９】
本願に開示するペアリング方法は、コンテンツ識別サーバと、自身が出力可能な音声の音声指紋情報を前記コンテンツ識別サーバに送信可能な複数の機器と、ポータブル端末とにおいて、前記機器と前記ポータブル端末とのペアリングを実行することができる。ペアリング方法は、前記ポータブル端末が外部から音声を入力するステップと、前記ポータブル端末が入力された音声の音声指紋情報を生成するステップと、前記ポータブル端末が生成した前記音声指紋情報を前記ポータブル端末が前記コンテンツ識別サーバに送信するステップと、前記コンテンツ識別サーバが前記ポータブル端末から送信される音声指紋情報を受信するステップと、前記コンテンツ識別サーバが受信した前記音声指紋情報に対応するコンテンツ情報を出力するステップと、前記ポータブル端末から送信される音声指紋情報に対応するコンテンツ情報と一致するコンテンツ情報に対応する音声指紋情報を送信した機器と、前記ポータブル端末とのペアリングを確立するステップとを含む。
【００２０】
本願に開示するペアリング方法は、音声指紋情報の入力に対してコンテンツ情報を出力するコンテンツ識別サーバと、入力可能な音声の音声指紋情報を送信可能な複数の機器と、ポータブル端末とにおける、前記機器と前記ポータブル端末とのペアリングを実行することができる。ペアリング方法は、前記ポータブル端末が外部へ音声を出力するステップと、前記ポータブル端末が出力した音声の音声指紋情報を生成するステップと、前記ポータブル端末が生成した前記音声指紋情報を前記コンテンツ識別サーバに送信するステップと、前記ポータブル端末が、前記コンテンツ識別サーバから送信される前記音声指紋情報に対応する第１のコンテンツ情報を受信するステップと、前記ポータブル端末が前記複数の機器からそれぞれの音声指紋情報を受信するステップと、前記ポータブル端末が受信した前記音声指紋情報を前記コンテンツ識別サーバに送信するステップと、前記ポータブル端末が前記コンテンツ識別サーバから送信される、前記複数の機器から受信したそれぞれの音声指紋情報に対応するコンテンツ情報を受信するステップと、前記コンテンツ情報のうち、前記第１のコンテンツ情報と一致するコンテンツ情報に対応する音声指紋情報を送信した機器とのペアリングを確立するステップとを含む。
【００２１】
本願に開示するペアリング方法は、音声指紋情報の入力に対してコンテンツ情報を出力するコンテンツ識別サーバと、入力可能な音声に対応するコンテンツ情報を送信可能な複数の機器と、ポータブル端末とにおける、前記機器と前記ポータブル端末とのペアリングを実行することができる。ペアリング方法は、前記ポータブル端末が外部へ音声を出力するステップと、前記ポータブル端末が出力した音声の音声指紋情報を生成するステップと、前記ポータブル端末が生成した前記音声指紋情報を前記コンテンツ識別サーバに送信するステップと、前記ポータブル端末が前記コンテンツ識別サーバから送信される、前記音声指紋情報に対応する第１のコンテンツ情報を受信するステップと、前記ポータブル端末が前記複数の機器からそれぞれの音声指紋情報に対応するコンテンツ情報を受信するステップと、前記コンテンツ情報のうち前記第１のコンテンツ情報と一致するコンテンツ情報を送信した機器とのペアリングを確立するステップとを含む。
【００２２】
本願に開示するペアリング方法は、コンテンツ識別サーバと、入力可能な音声の音声指紋情報を前記コンテンツ識別サーバに送信可能な複数の機器と、ポータブル端末とにおける、前記機器と前記ポータブル端末とのペアリングを実行することができる。ペアリング方法は、前記ポータブル端末が外部へ音声を出力するステップと、前記ポータブル端末が出力した音声の音声指紋情報を生成するステップと、前記ポータブル端末が生成した前記音声指紋情報を前記コンテンツ識別サーバに送信するステップと、前記コンテンツ識別サーバが、前記ポータブル端末から送信される前記音声指紋情報を受信するステップと、前記コンテンツ識別サーバが受信した前記音声指紋情報に対応するコンテンツ情報を出力するステップと、前記ポータブル端末から受信した音声指紋情報に対応するコンテンツ情報と一致するコンテンツ情報に対応する音声指紋情報を送信した機器と、前記ポータブル端末とのペアリングを確立するステップとを含む。
【００２３】
本願に開示するポータブル端末は、音声指紋情報の入力に対してコンテンツ情報を出力するコンテンツ識別サーバと、自身が出力可能な音声の音声指紋情報を送信可能な複数の機器とに接続可能である。ポータブル端末は、外部から音声を入力可能な音声入力部と、前記音声入力部より入力された音声の音声指紋情報を生成する音声指紋情報生成部と、前記音声指紋情報生成部によって生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する通信部と、前記受信したコンテンツ情報のうち前記第１のコンテンツ情報と一致するコンテンツ情報に対応する音声指紋情報を送信した機器とのペアリングを確立するペアリング機器決定部と、を備えたものである。
【００２４】
本願に開示するポータブル端末は、音声指紋情報の入力に対してコンテンツ情報を出力するコンテンツ識別サーバと、視聴中のコンテンツのコンテンツ情報を送信可能な複数の機器とに接続可能である。ポータブル端末は、外部から音声を入力可能な音声入力部と、前記音声入力部より入力された音声の音声指紋情報を生成する音声指紋情報生成部と、前記音声指紋情報生成部によって生成された音声指紋情報を前記コンテンツ識別サーバに送信して第１のコンテンツ情報を受信すると共に、前記複数の機器から受信したそれぞれの音声指紋情報に対応するコンテンツ情報を受信する通信部と、前記受信した前記コンテンツ情報のうち前記第１のコンテンツ情報と一致するコンテンツ情報を送信した機器とのペアリングを確立するペアリング機器決定部と、を備えたものである。
【００２５】
本願に開示するポータブル端末は、音声指紋情報の入力に対してコンテンツ情報を出力するコンテンツ識別サーバと、入力可能な音声の音声指紋情報を送信可能な複数の機器とに接続可能である。ポータブル端末は、外部へ音声を出力可能な音声出力部と、前記音声出力部より出力した音声の音声指紋情報を生成する音声指紋情報生成部と、前記音声指紋情報生成部で生成された音声指紋情報を前記コンテンツ識別サーバに送信して第１のコンテンツ情報を受信すると共に、前記複数の機器からそれぞれの音声指紋情報を受信し、前記受信した音声指紋情報を前記コンテンツ識別サーバに送信して前記複数の機器から受信したそれぞれの音声指紋情報に対応するコンテンツ情報を受信する通信部と、前記コンテンツ情報のうち、前記第１のコンテンツ情報と一致するコンテンツ情報に対応する音声指紋情報を送信した機器とのペアリングを確立するペアリング機器決定部と、を備えたものである。
【００２６】
本願に開示するポータブル端末は、音声指紋情報の入力に対してコンテンツ情報を出力するコンテンツ識別サーバと、入力可能な音声に対応するコンテンツ情報を送信可能な複数の機器とに接続可能である。ポータブル端末は、外部へ音声を出力可能な音声出力部と、前記音声出力部より出力した音声の音声指紋情報を生成する音声指紋情報生成部と、前記音声指紋情報生成部で生成された音声指紋情報を前記コンテンツ識別サーバに送信して第１のコンテンツ情報を受信すると共に、前記複数の機器から受信したそれぞれの音声指紋情報に対応するコンテンツ情報を受信する通信部と、前記コンテンツ情報のうち前記第１のコンテンツ情報と一致するコンテンツ情報を送信した機器とのペアリングを確立するペアリング機器決定部と、を備えたものである。
【発明の効果】
【００２７】
本願の開示により、ユーザは携帯可能なコントローラを操作する場所に応じて、マニュアル操作により再生機器を選択する必要がなくなるため、操作性を向上することができる。
【００２８】
また、本願の開示によれば、二つの通信部を備えることなく、一つの通信部を備えることにより、近接する機器とのペアリングが可能となるため、装置の小型化及び低コスト化が可能となる。
【００２９】
また、本願の開示によれば、ペアリングと同時に、ペアリング対象機器で視聴しているコンテンツ情報を特定することが可能となるため、たとえばテレビジョン受像機（再生装置の一例）とタブレット端末（コントローラの一例）の組み合わせにおいては、テレビジョン受像機で視聴しているコンテンツに関連する情報をタブレット端末に表示することが可能となる。
【００３０】
また、本願の開示によれば、近くにある複数のポータブル端末同士をペアリングすることが可能となる。
【図面の簡単な説明】
【００３１】
【図１】実施の形態１のペアリングシステムの構成例を示す図
【図２】実施の形態のコントローラ、ポータブル端末の構成例を示すブロック図
【図３】実施の形態のデジタルテレビ（ＤＴＶ）の構成例を示すブロック図
【図４】実施の形態のサーバ装置の構成例を示すブロック図
【図５】実施の形態１のペアリングシステムの通信シーケンスを示す図
【図６】実施の形態１のコントローラの処理フローを示す図
【図７】実施の形態１のペアリングシステムの通信シーケンスを示す図
【図８】実施の形態１のペアリングシステムの通信シーケンスを示す図
【図９】実施の形態２のペアリングシステムの構成例を示す図
【図１０】実施の形態２のペアリングシステムの通信シーケンスを示す図
【図１１】実施の形態２のコントローラの処理フローを示す図
【図１２】実施の形態２のペアリングシステムの通信シーケンスを示す図
【図１３】実施の形態２のペアリングシステムの通信シーケンスを示す図
【図１４】従来のサーバ装置、再生装置、コントローラの構成例を示す図
【図１５】従来のコントローラを介してサーバ装置のコンテンツを再生装置に表示するシステムの通信シーケンスを示す図
【発明を実施するための形態】
【００３２】
（実施の形態１）
＜１．システム構成＞
以下、本発明の実施の形態１について、図１から図６を参照して説明する。
【００３３】
図１は、実施の形態１のペアリングシステムを、複数の部屋（部屋Ａ、部屋Ｂ）を有する宅内に適用した場合の構成を示すブロック図である。なお、図１では、有線接続された部分を実線で描画し、無線接続された部分を破線で描画した。
【００３４】
図１に示すペアリングシステムは、主に、複数の再生装置である第１のデジタルテレビ３Ａ（以下、第１のＤＴＶ３Ａと称する）、第２のデジタルテレビ３Ｂ（以下、第２のＤＴＶ３Ｂと称する）と、コントローラ２と、サーバ装置４とを含む。サーバ装置４は、インターネット９に接続されている。
【００３５】
第１のＤＴＶ３Ａ及び第２のＤＴＶ３Ｂは、例えばデジタル放送を受信可能である。第１のＤＴＶ３Ａ及び第２のＤＴＶ３Ｂは、デジタル放送における同じチャンネルの放送波を受信することができるとともに、異なるチャンネルの放送波を受信することができる。第１のＤＴＶ３Ａ及び第２のＤＴＶ３Ｂの具体構成については後述する。
【００３６】
コントローラ２は、各種アプリケーションプログラムをインストールして実行することができる端末である。コントローラ２は、タッチパネル及びディスプレイパネルを重畳して備え、例えばスタイラスペン等をタッチパネルに接触させることで各種入力を行うことができるタブレット端末で実現することができる。コントローラ２の具体構成については後述する。
【００３７】
また、図１に示すペアリングシステムは、無線アクセスポイント５及び無線子機６を備えている。無線アクセスポイント５は、ネットワークケーブル７Ａによって第１のＤＴＶ３Ａに接続されている。無線アクセスポイント５は、無線通信回線によって無線子機６に接続されている。無線アクセスポイント５は、ネットワークケーブル７Ｃによってインターネット９に接続されている。無線アクセスポイント５は、無線機能及びネットワーク・ハブ機能を有する。無線子機６は、ネットワークケーブル７Ｂによって第２のＤＴＶ３Ｂに接続されている。無線子機６は、無線通信回線によって無線アクセスポイント５に接続されている。無線子機６は、有線ネットワークと無線ネットワークとの相互変換を実施することができる。無線アクセスポイント５及び無線子機６は、これらと同等の機能が第１のＤＴＶ３Ａ、第２のＤＴＶ３Ｂ、およびコントローラ２に備わっていれば、省略することができる。
【００３８】
コントローラ２は、移動可能な機器であるため部屋Ａ及び部屋Ｂのいずれにも配置することができるが、図１では例えば部屋Ａに配置していることとする。部屋Ａに配置されたコントローラ２は、無線アクセスポイント５と無線通信回線を介してネットワーク接続されている。
【００３９】
部屋Ａにあるコントローラ２と、無線子機６とは、無線アクセスポイント５と無線接続されてネットワークを構成している。すなわち、コントローラ２と、第１のＤＴＶ３Ａと、第２のＤＴＶ３Ｂとは、同一のネットワークに接続されて、ＬＡＮ（Local Area Network)を構成している。
【００４０】
無線アクセスポイント５は、インターネット９に接続されており、インターネット９上のサーバ装置４と通信可能な状態にある。無線アクセスポイント５とインターネット９とは、本実施の形態ではネットワークケーブル７Ｃにより有線接続する構成としたが、携帯電話通信回線等を用いて無線接続されていてもよい。
【００４１】
図２は、コントローラ２の構成を示すブロック図を示している。コントローラ２は、制御部２０１、映像音声出力部２０２、操作入力部２０３、記録部２０４、通信部２０５、音声入力部２０６、バッファ部２０７、および記憶部２０８とを備えている。コントローラ２に含まれる各部は、バス２０９を介して互いに通信可能に接続されている。制御部２０１は、装置全体を制御し、ＣＰＵ（Central Processing Unit）によって構成されている。映像音声出力部２０２は、映像を表示可能な表示パネル、音声を出力可能なスピーカー等で構成されている。映像音声出力部２０２における表示パネルは、映像を表示可能な機能とともに、ユーザが指やスタイラスペン等で接触したことを検出し操作信号を出力するタッチパネルを備えていてもよい。この場合におけるタッチパネルは、操作入力部２０３に含まれる。操作入力部２０３は、ユーザによる操作を受け付けるものであり、例えば操作ボタンやタッチパネルで実現することができる。記録部２０４は、記録媒体２０４Ａを着脱可能であり、装着された記録媒体２０４Ａに各種データを書き込んだり記録媒体２０４Ａから各種データを読み出したりすることができる。通信部２０５は、無線通信回路等で構成され、無線アクセスポイント５（図１参照）等に各種データを送信したり無線アクセスポイント５等から送信される各種データを受信したりすることができる。音声入力部２０６は、例えばマイクロホンで構成され、コントローラ２の周辺の音声を集音することができる。バッファ部２０７は、一時的に各種データを格納することができる。記憶部２０８は、制御部２０１で実行されるプログラム等が格納されている。
【００４２】
映像音声出力部２０２における表示パネルに表示されたメニューに対して、ユーザが操作入力部２０３におけるタッチパネルを操作すると、操作入力部２０３は、操作信号を制御部２０１に送信する。制御部２０１は、操作入力部２０３から送信される操作信号に対応する所定の処理を実行する。
【００４３】
なお、通信部２０５は、サーバ装置４との間で通信可能な第１の通信部と、第１のＤＴＶ３Ａ及び第２のＤＴＶ３Ｂとの間で通信可能な第２の通信部とを、それぞれ独立して備えてもよい。例えば、通信部２０５は、携帯電話通信網に接続可能な第１の通信部と、無線ＬＡＮに接続可能な第２の通信部とを備える構成とすることができる。また、例えば、通信部２０５は、携帯電話通信網に接続可能な第１の通信部と、Ｂｌｕｅｔｏｏｔｈ（登録商標）規格に準拠した通信が可能な第２の通信部とを備える構成とすることができる。
【００４４】
図３は、第１のＤＴＶ３Ａの構成を示すブロック図である。なお、図３は第１のＤＴＶ３Ａの構成について図示しているが、第２のＤＴＶ３Ｂも同様の構成を有する。第１のＤＴＶ３Ａは、制御部３０１、映像出力部３０２、放送受信部３０３、操作入力部３０４、通信部３０５、バッファ部３０６、記憶部３０７、および音声出力部３０８を備えている。第１のＤＴＶ３Ａ及び第２のＤＴＶ３Ｂに含まれる各構成は、バス３０９を介して互いに通信可能に接続されている。制御部３０１は、装置全体を制御し、ＣＰＵによって構成されている。映像出力部３０２は、映像を表示可能な表示パネル等で構成されている。放送受信部３０３は、例えばデジタル放送の放送波を受信することができる。放送受信部３０３は、アンテナ、チューナ、信号処理部等を備えている。操作入力部３０４は、ユーザによる操作を受け付けるものであり、例えば操作ボタンで実現することができる。通信部３０５は、ネットワークケーブル７Ａ等を接続可能なネットワーク端子を備え、接続されたネットワークケーブル７Ａ等を介した各種データの送受信動作を制御する。通信部３０５は、図１に示す無線アクセスポイント５を介して、インターネット９に接続することができる。バッファ部３０６は、一時的に各種データを格納することができる。記憶部３０７は、制御部３０１で実行されるプログラム等が格納されている。音声出力部３０８は、例えばスピーカーで構成され、制御部３０１から出力される音声信号を音声に変換して出力する。音声出力部３０８は、例えば放送受信部３０３で受信したデジタル放送の放送波から復調された音声を出力することができる。
【００４５】
放送受信部３０３は、受信したデジタル放送の放送波から映像信号及び音声信号を復調する。放送受信部３０３で復調された映像信号及び音声信号は、バッファ部３０６に一時的に保持される。制御部３０１は、バッファ部３０６に保持されている映像信号に基づく映像を映像出力部３０２において表示するよう制御する。映像出力部３０２は、制御部３０１による制御に基づき映像を表示する。また、制御部３０１は、バッファ部３０６に保持されている音声信号に基づく音声を音声出力部３０８において音声出力するよう制御する。音声出力部３０８は、制御部３０１による制御に基づき音声を出力する。
【００４６】
通信部３０５は、ネットワークケーブル７Ａ及び７Ｂ（図１参照）を介してネットワーク接続された外部機器（例えばサーバ装置４）との通信処理を実行する。外部機器（例えばサーバ装置４）から送信されるコンテンツを表示及び再生する場合には、第１のＤＴＶ３Ａ及び第２のＤＴＶ３Ｂは、通信部３０５を通じて、外部機器（例えばサーバ装置４）に対してコンテンツ取得要求を送信する。第１のＤＴＶ３Ａ及び第２のＤＴＶ３Ｂは、サーバ装置４から応答として受信したコンテンツをバッファ部３０６に一時的に保持した後に、映像音声出力部３０２に含まれる表示パネルに表示する。
【００４７】
図４は、実施の形態におけるサーバ装置４の構成例を示すブロック図である。図４に示すように、サーバ装置４は、制御部４０１、表示部４０２、操作入力部４０３、記録部４０４、通信部４０５、および記憶部４０６を備えている。制御部４０１は、例えばＣＰＵで実現することができ、サーバ装置４内の様々な信号処理を実行することができる。表示部４０２は、各種映像を表示することができる。操作入力部４０３は、ユーザによる入力操作を受け付けることができる。記録部４０４は、例えばハードディスクドライブで実現することができ、様々なデータや情報を記録することができる。通信部４０５は、インターネット９（図１参照）に接続することができる。
【００４８】
＜２．通信シーケンス＞
図５は、実施の形態１のペアリングシステムの通信シーケンスを説明した図である。
【００４９】
図５を参照し、本実施形態におけるペアリング機器決定時の通信シーケンスを説明する。
【００５０】
コントローラ２は、ユーザにより所定のアプリケーションプログラムを起動する操作を受けると、自身に既にインストールされている所定のアプリケーションプログラムを実行するとともに、ＬＡＮに接続されているＤＴＶを検索するための要求を無線アクセスポイント５へ送信する。無線アクセスポイント５は、コントローラ２から送信された検索要求を、第１のＤＴＶ３Ａへ送信するとともに、無線子機６を介して第２のＤＴＶ３Ｂへ送信する。第１のＤＴＶ３Ａ及び第２のＤＴＶ３Ｂは、受信した検索要求に対して応答信号を出力する。応答信号は、無線アクセスポイント５を介してコントローラ２へ送信される。コントローラ２は、応答信号を受信すると、その応答信号に基づき検出したＤＴＶの詳細情報を取得するための要求を、無線アクセスポイント５等を介して第１のＤＴＶ３Ａ及び第２のＤＴＶ３Ｂへ送信する。第１のＤＴＶ３Ａ及び第２のＤＴＶ３Ｂは、受信した詳細情報取得要求に対して、自身の詳細情報を無線アクセスポイント５等を介してコントローラ２へ送信する。コントローラ２は、第１のＤＴＶ３Ａ及び第２のＤＴＶ３Ｂから送信される詳細情報を受信する。ネットワークに複数のＤＴＶが接続されている場合には、コントローラ２は、それぞれのＤＴＶ（本実施の形態では第１のＤＴＶ３Ａと第２のＤＴＶ３Ｂ）の詳細情報を取得する。
【００５１】
次にコントローラ２は、音声入力部２０６におけるマイクロホンを集音可能な状態にする。音声入力部２０６（マイクロホン）は、集音可能な状態になるとコントローラ２の周辺の音声を取得する。コントローラ２は、音声入力部２０６が取得した音声から音声特徴情報（音声指紋情報）を生成する。具体的には、コントローラ２は、音声入力部２０６が取得した音声に含まれるＤＴＶ出力音声に対応する音声特徴情報（音声指紋情報）を生成する（Ｓ１０１）。
【００５２】
なお、「音声特徴情報」及び「音声指紋情報」とは、音声の波形（周波数特性）から特徴的な要素のみを抽出して形成した情報のことである。なお、音声特徴情報と音声指紋情報とは、呼称が異なるが、実質的に同一の情報である。以下の説明では、これらの情報を「音声指紋情報」と称する。
【００５３】
コントローラ２は、生成した音声指紋情報を含むコンテンツ情報取得要求をサーバ装置４に送信する（Ｓ１０２）。
【００５４】
サーバ装置４は、受信したコンテンツ情報取得要求に含まれる音声指紋情報と、自身のコンテンツデータベースに含まれている音声指紋情報とを比較し、コンテンツデータベースの中からコンテンツ情報取得要求に対応するコンテンツ情報を抽出する。次に、サーバ装置４は、コントローラ２からのコンテンツ情報取得要求に対する応答として、コンテンツ情報Ｃｏｎ１をコントローラ２に返送する（Ｓ１０３）。
【００５５】
次にコントローラ２は、ＬＡＮに接続されている第１のＤＴＶ３Ａ及び第２のＤＴＶ３Ｂに対して、音声指紋情報取得要求を送信する（Ｓ１０４、Ｓ１０６）。
【００５６】
第１のＤＴＶ３Ａ及び第２のＤＴＶ３Ｂは、音声指紋情報取得要求を受信すると、自身の音声出力部３０８から出力している音声信号から音声指紋情報を生成する。次に、第１のＤＴＶ３Ａ及び第２のＤＴＶ３Ｂは、音声指紋情報取得要求に対する応答として、生成した音声指紋情報をコントローラ２に送信する（Ｓ１０５、Ｓ１０７）。
【００５７】
コントローラ２は、第１のＤＴＶ３Ａ及び第２のＤＴＶ３Ｂから送信される音声指紋情報を取得すると、取得した音声指紋情報を含むコンテンツ情報取得要求をサーバ装置４に送信する（Ｓ１０８、Ｓ１１０）。
【００５８】
サーバ装置４は、コンテンツ情報取得要求に含まれる音声指紋情報と、自身のコンテンツデータベースに含まれる音声指紋情報とを比較し、コンテンツデータベースの中からコンテンツ情報取得要求に対応するコンテンツ情報を抽出する。次に、サーバ装置４は、コンテンツ情報取得要求に対する応答として、コンテンツ情報Ｃｏｎ２Ａ及びＣｏｎ２Ｂをコントローラ２に返送する（Ｓ１０９、Ｓ１１１）。
【００５９】
次にコントローラ２は、コンテンツ情報Ｃｏｎ１とコンテンツ情報Ｃｏｎ２Ａ及びＣｏｎ２Ｂとを比較する。コントローラ２は、コンテンツ情報Ｃｏｎ１に一致するコンテンツ情報Ｃｏｎ２ＡまたはＣｏｎ２Ｂに対応した音声指紋情報を送信してきたＤＴＶと、ペアリング処理を実施する（Ｓ１１２）。
【００６０】
本実施の形態の場合、コントローラ２の音声入力部２０６は、同一の部屋にある第１のＤＴＶ３Ａの音声出力部３０８から出力された音声を取得している。すなわち、本実施の形態の場合、コントローラ２は、コンテンツ情報Ｃｏｎ１とコンテンツ情報Ｃｏｎ２Ａとが一致したと判断する。したがって、コントローラ２は、コンテンツ情報Ｃｏｎ２Ａに対応した音声指紋情報を送信した第１のＤＴＶ３Ａとペアリングされることとなる。
【００６１】
＜３．再生装置を決定するための処理フロー＞
図６は、コントローラ２が、ネットワークに接続された複数のＤＴＶの中から、近くにあるＤＴＶ（例えば第１のＤＴＶ３Ａ）とのペアリングを決定する際の処理フローを示す。
【００６２】
コントローラ２は、ユーザにより所定のアプリケーションを起動する操作を受けると、自身に既にインストールされている所定のアプリケーションプログラムを実行するとともに、ＬＡＮに接続されているＤＴＶを検索するための要求を無線アクセスポイント５へ送信する。無線アクセスポイント５は、コントローラ２から送信された検索要求を、第１のＤＴＶ３Ａへ送信するとともに、無線子機６を介して第２のＤＴＶ３Ｂへ送信する。第１のＤＴＶ３Ａ及び第２のＤＴＶ３Ｂは、受信した検索要求に対して応答信号を生成する。応答信号は、無線アクセスポイント５などを介してコントローラ２へ送信される。コントローラ２は、応答信号を受信すると、その応答信号に基づき検出したＤＴＶの詳細情報を取得するための要求を、無線アクセスポイント５等を介して第１のＤＴＶ３Ａ及び第２のＤＴＶ３Ｂへ送信する。第１のＤＴＶ３Ａ及び第２のＤＴＶ３Ｂは、受信した詳細情報取得要求に対して、自身の詳細情報を無線アクセスポイント５等を介してコントローラ２へ送信する。コントローラ２は、第１のＤＴＶ３Ａ及び第２のＤＴＶ３Ｂから送信される詳細情報を受信する。ネットワークに複数のＤＴＶが接続されている場合には、コントローラ２は、それぞれのＤＴＶ（本実施の形態では第１のＤＴＶ３Ａと第２のＤＴＶ３Ｂ）の詳細情報を取得する。
【００６３】
コントローラ２は、音声入力部２０６におけるマイクロホンを集音可能な状態にする。音声入力部２０６（マイクロホン）は、集音可能な状態になると、コントローラ２の周辺の音声を取得する。具体的には、音声入力部２０６は、第１のＤＴＶ３Ａ及び第２のＤＴＶ３Ｂのうちいずれか一方または両方から出力される音声を取得することができる（Ｓ５０１）。
【００６４】
コントローラ２は、音声入力部２０６が取得した音声から音声指紋情報を生成する。なお、音声入力部２０６が取得した音声に、複数のＤＴＶの出力音声が含まれている場合は、音量が大きい方の音声を選択して、音声指紋情報を生成する（Ｓ５０２）。
【００６５】
次にコントローラ２は、生成した音声指紋情報を含むコンテンツ情報取得要求をサーバ装置４に送信する（Ｓ５０３）。コントローラ２は、サーバ装置４からコンテンツ情報取得要求に対する応答を受信する（Ｓ５０４）。
【００６６】
次にコントローラ２は、ＬＡＮに接続されているＤＴＶに対して、音声指紋情報取得要求を送信する（Ｓ５０５）。コントローラ２は、ＤＴＶから音声指紋情報取得要求に対する応答を受信する（Ｓ５０６）。コントローラ２は、検出した全てのＤＴＶに対して音声指紋情報を取得する（Ｓ５０７）。
【００６７】
コントローラ２は、第１のＤＴＶ３Ａ及び第２のＤＴＶ３Ｂの音声指紋情報を取得した後、取得した音声指紋情報を含むコンテンツ情報取得要求をサーバ装置４に送信する（Ｓ５０８）。コントローラ２は、サーバ装置４からコンテンツ情報取得要求に対する応答を受信する（Ｓ５０９）。コントローラ２は、音声指紋情報を取得した全てのＤＴＶに対応して音声指紋情報を取得する（Ｓ５１０）。
【００６８】
次にコントローラ２は、自身の音声入力部２０６より入力した音声から生成した音声指紋情報に対応するコンテンツ情報Ｃｏｎ１と、ＬＡＮに接続されている第１のＤＴＶ３Ａ及び第２のＤＴＶ３Ｂから取得した音声指紋情報に対応するコンテンツ情報Ｃｏｎ２Ａ及びＣｏｎ２Ｂとを比較する（Ｓ５１１）。コントローラ２は、コンテンツ情報Ｃｏｎ１と一致するコンテンツ情報（Ｃｏｎ２ＡまたはＣｏｎ２Ｂ）に対応した音声指紋情報を送信してきた機器とのペアリングを実施する（Ｓ５１２）。これにより、コントローラ２は、近くにあるＤＴＶとのペアリングが実行される。
【００６９】
コントローラ２は、取得した全てのＤＴＶのコンテンツ情報との比較処理が終了すると、ペアリング処理を終了する（Ｓ５１３）。
【００７０】
上述の一連の処理により、コントローラ２は、ネットワークに接続された複数のＤＴＶの中から、最も近くにあるＤＴＶを自動的に選択することが可能となる。したがって、ユーザは、操作しているコントローラ２の位置に応じて、近くにあるＤＴＶを手動で選択する必要がなくなる。
【００７１】
ここで、「最も近くにあるＤＴＶ」とは、正確には、コントローラ２に備わる音声入力部２０６によって集音したＤＴＶの出力音声のうち、音量が最も大きい音声を出力しているＤＴＶのことである。例えば、第１のＤＴＶ３Ａとコントローラ２とが物理的に最も近い位置に配置されていたとしても、他の部屋に配置されている第２のＤＴＶ３Ｂの出力音声の音量が過大である場合、コントローラ２は第２のＤＴＶ３Ｂの出力音声を集音してしまうことがある。この場合、コントローラ２は、第２のＤＴＶ３Ｂを「最も近くにあるＤＴＶである」と判断してしまうことがある。しかし、通常、複数の部屋にそれぞれ配置されているＤＴＶは、出力する音声の音量に大差がないこと多いため、本実施の形態における「最も近くにあるＤＴＶ」とは、コントローラ２に対して、物理的に最も近い位置にあるＤＴＶとする。
【００７２】
なお、本実施形態では、コントローラ２が、第１のＤＴＶ３Ａ及び第２のＤＴＶ３Ｂの音声指紋情報を取得し、取得した音声指紋情報を利用して、サーバ装置４から音声指紋情報に対応したコンテンツ情報を取得しているが、その限りではない。
【００７３】
例えば、図７に示すように第１のＤＴＶ３Ａ及び第２のＤＴＶ３Ｂのそれぞれが、自身の映像音声出力部３０２に含まれるスピーカーから出力している音声から音声指紋情報を生成し、生成した音声指紋情報を利用して、サーバ装置４に対してコンテンツ情報を問い合わせるようにしても良い（図７におけるＳ６０４〜Ｓ６０７）。この場合、コントローラ２は、第１のＤＴＶ３Ａ及び第２のＤＴＶ３Ｂのそれぞれに対して、コンテンツ情報取得要求を送信し（Ｓ６０８、Ｓ６１０）、応答としてコンテンツ情報を受信する（Ｓ６０９、Ｓ６１１）。なお、図７において、処理Ｓ６０１、Ｓ６０２、Ｓ６０３、Ｓ６１２の処理内容は、図５に示す処理Ｓ１０１、Ｓ１０２、Ｓ１０３、Ｓ１１２の処理内容と同等である。
【００７４】
また、図８に示すように、コントローラ２、第１のＤＴＶ３Ａ及び第２のＤＴＶ３Ｂのそれぞれから音声指紋情報を取得したサーバ装置４が、コントローラ２の音声指紋情報に対応したコンテンツ情報と一致するコンテンツ情報に対応した音声指紋情報を送信してきたＤＴＶ（第１のＤＴＶ３Ａ）とコントローラ２とのペアリングを実施しても良い。この場合、コントローラ２は、サーバ装置４においてペアリング機器が決定（Ｓ７０８）された後、サーバ装置４に対して、ペアリング機器情報取得要求を送信する（Ｓ７０９）。次に、コントローラ２は、サーバ装置４からペアリング機器情報を含む応答を受信する（Ｓ７１０）。これにより、コントローラ２は、ペアリングの相手となる機器（第１のＤＴＶ３Ａ）を識別する。なお、図８において、処理Ｓ７０１、Ｓ７０２、Ｓ７０３の処理内容は、図５に示す処理Ｓ１０１、Ｓ１０２、Ｓ１０３の処理内容と同等である。
【００７５】
（実施の形態２）
＜１．システム構成＞
以下、本発明の第２の実施の形態について、図９から図１３を参照して説明する。
【００７６】
図９、図１０は、実施の形態２にかかるシステム構成を示すブロック図である。図１０において、図１に示すシステム構成に含まれる構成要素と同様の構成要素については、同一符号を付与して詳細な説明は省略する。図１０に示すシステムは、オフィスにある複数の会議室（会議室Ａ、会議室Ｂ）におけるネットワークに適用した。会議室Ａには、コントローラ２、無線アクセスポイント５、第１のポータブル端末８Ａ、および第２のポータブル端末８Ｂが配置されている。会議室Ｂには、第３のポータブル端末８Ｃと第４のポータブル端末８Ｄが配置されている。コントローラ２、第１のポータブル端末８Ａ、第２のポータブル端末８Ｂ、第３のポータブル端末８Ｃ、および第４のポータブル端末８Ｄは、ユーザにより、任意の位置に移動可能な端末である。
【００７７】
会議室Ａにおいて、複数のポータブル端末８Ａ及び８Ｂと、無線機能及びネットワーク・ハブ機能を有する無線アクセスポイント５とが、無線通信回線によりネットワーク接続されている。
【００７８】
コントローラ２は、会議室Ａに配置されており、無線アクセスポイント５と無線通信回線によりネットワーク接続されている。また、コントローラ２は、音声出力部２０２Ａを備えている。音声出力部２０２Ａは、例えばスピーカーで構成することができる。
【００７９】
会議室Ｂには、複数のポータブル端末８Ｃ及び８Ｄが配置されている。コントローラ２と、ポータブル端末８Ｃ及び８Ｄとは、無線アクセスポイント５と無線接続されてネットワークを構成している。すなわち、コントローラ２、ポータブル端末８Ａ及び８Ｂと、ポータブル端末８Ｃ及び８Ｄとは同一のネットワークに接続されて、ＬＡＮ（Local Area Network）を構成している。
【００８０】
無線アクセスポイント５は、インターネット９に接続されており、インターネット９上のサーバ装置４と通信可能な状態にある。
【００８１】
コントローラ２、ポータブル端末８Ａ、８Ｂ、８Ｃ、８Ｄの構成は、実施の形態１の図２に示した構成と同じであるため、詳細説明は割愛する。
【００８２】
＜２．通信シーケンス＞
図１０は、実施の形態２のペアリングシステムの通信シーケンスを説明した図である。
【００８３】
図１０を参照し、本実施形態におけるペアリング機器決定時の通信シーケンスを説明する。なお、図１０では、複数のポータブル機器のうち第１のポータブル端末８Ａと第２のポータブル端末８Ｂのシーケンスのみ図示しているが、第３のポータブル端末８Ｃ及び第４のポータブル端末８Ｄのシーケンスも図１０と同様のシーケンスを実行することができる。
【００８４】
コントローラ２とポータブル端末８Ａ〜８Ｄは、ユーザにより所定のアプリケーションプログラムを起動する操作を受けると、自身に既にインストールされている所定のアプリケーションプログラムを実行する。コントローラ２は、ＬＡＮに接続されているポータブル端末を検索するための要求を無線アクセスポイント５へ送信する。無線アクセスポイント５は、コントローラ２から送信された検索要求を、ポータブル端末８Ａ〜８Ｄへ送信する。ポータブル端末８Ａ〜８Ｄは、受信した検索要求に対して応答信号を出力する。応答信号は、無線アクセスポイント５を介してコントローラ２へ送信される。コントローラ２は、ポータブル端末８Ａ〜８Ｄから送信された応答信号を受信すると、その応答信号に基づき検出したポータブル端末の詳細情報を取得するための要求を、無線アクセスポイント５を介してポータブル端末８Ａ〜８Ｄへ送信する。ポータブル端末８Ａ〜８Ｄは、受信した詳細情報取得要求に対して、自身の詳細情報を無線アクセスポイント５を介してコントローラ２へ送信する。コントローラ２は、ポータブル端末８Ａ〜８Ｄから送信される詳細情報を受信する。ネットワークに複数のポータブル端末が接続されている場合には、コントローラ２は、それぞれのポータブル端末８Ａ〜８Ｄの詳細情報を取得する。
【００８５】
次にコントローラ２は、音声出力部２０２Ａから、音声を出力する。具体的には、コントローラ２は、音声出力部２０２Ａにおけるスピーカーから任意の音声を出力する（Ｓ８００）。
【００８６】
ポータブル端末８Ａ〜８Ｄは、音声入力部２０６におけるマイクロホンを集音可能な状態にする。ポータブル端末８Ａ〜８Ｄのそれぞれに備わる音声入力部２０６（マイクロホン）は、集音可能な状態になると、ポータブル端末８Ａ〜８Ｄの周辺音声を取得する。ポータブル端末８Ａ〜８Ｄは、音声入力部２０６が取得した音声から音声指紋情報を生成する（Ｓ８０１）。
【００８７】
本実施の形態では、図９に示すように、第１のポータブル端末８Ａ及び第２のポータブル端末８Ｂが、コントローラ２が配置されている会議室Ａに配置されているため、第１のポータブル端末８Ａ及び第２のポータブル端末８Ｂの音声入力部２０６がコントローラ２の音声出力部２０２Ａから出力される音声を取得することができる。第３のポータブル端末８Ｃ及び第４のポータブル端末８Ｄは、会議室Ｂに配置されているため、コントローラ２の音声出力部２０２Ａから出力される音声を取得することが困難である。したがって、本実施の形態では、第１のポータブル端末８Ａ及び第２のポータブル端末８Ｂが、コントローラ２の音声出力部２０２Ａから出力される音声の音声指紋情報を生成する。
【００８８】
コントローラ２は、映像音声出力部２０２から出力した音声から生成した音声指紋情報を含むコンテンツ情報取得要求をサーバ装置４に送信する（Ｓ８０２）。
【００８９】
サーバ装置４は、受信したコンテンツ情報取得要求に含まれる音声指紋情報と、自身のコンテンツデータベースに含まれる音声指紋情報とを比較し、コンテンツデータベースの中からコンテンツ取得要求に対応するコンテンツ情報を抽出する。次に、サーバ装置４は、コントローラ２から送信されるコンテンツ情報取得要求に対する応答として、コンテンツ情報Ｃｏｎ３をコントローラ２に返送する（Ｓ８０３）。
【００９０】
次にコントローラ２は、ＬＡＮに接続されているポータブル端末８Ａ〜８Ｄに対して、音声指紋情報取得要求を送信する（Ｓ８０４、Ｓ８０６）。
【００９１】
ポータブル端末８Ａ〜８Ｄは、音声指紋情報取得要求を受信した後、音声指紋情報取得要求に対する応答として、生成した音声指紋情報をコントローラ２に送信する（Ｓ８０５、Ｓ８０７）。
【００９２】
コントローラ２は、ポータブル端末８Ａ〜８Ｄの音声指紋情報を取得した後、取得した音声指紋情報を含むコンテンツ情報取得要求をサーバ装置４に送信する（Ｓ８０８、Ｓ８１０）。
【００９３】
サーバ装置４は、受信したコンテンツ情報取得要求に含まれる音声指紋情報と、自身のコンテンツデータベースに含まれる音声指紋情報とを比較し、コンテンツデータベースの中からコンテンツ情報取得要求に対応するコンテンツ情報を抽出する。次に、サーバ装置４は、コンテンツ情報取得要求に対する応答として、コンテンツ情報Ｃｏｎ４Ａ及びＣｏｎ４Ｂをコントローラ２に返送する（Ｓ８０９、Ｓ８１１）。
【００９４】
次にコントローラ２は、コンテンツ情報Ｃｏｎ３とコンテンツ情報Ｃｏｎ４Ａ及びＣｏｎ４Ｂとを比較し、コンテンツ情報Ｃｏｎ３と一致するコンテンツ情報に対応した音声指紋情報を送信してきた機器とのペアリングを実施する（Ｓ８１２）。本実施の形態の場合、第１のポータブル端末８Ａ及び第２のポータブル端末８Ｂの音声入力部２０６は、同一の会議室にあるコントローラ２の音声出力部２０２Ａから出力された音声を取得することができる。すなわち、コンテンツ情報Ｃｏｎ３とコンテンツ情報Ｃｏｎ４Ａ及び４Ｂとは一致する。したがって、コントローラ２は、コンテンツ情報Ｃｏｎ４Ａを送信した第１のポータブル端末８Ａ、及びコンテンツ情報Ｃｏｎ４Ｂを送信した第２のポータブル端末８Ｂとペアリングされることとなる。
【００９５】
＜３．再生装置を決定するための処理フロー＞
図１１は、コントローラ２が、ネットワークに接続された複数のポータブル端末から、近くにあるポータブル端末とのペアリングを決定する処理フローを示す。
【００９６】
コントローラ２は、ユーザにより所定のアプリケーションプログラムを起動する操作を受けると、自身に既にインストールされている所定のアプリケーションプログラムを実行するとともに、ＬＡＮに接続されているポータブル端末を検索するための要求を無線アクセスポイント５へ送信する。無線アクセスポイント５は、コントローラ２からの検索要求を、ポータブル端末８Ａ〜８Ｄへ送信する。ポータブル端末８Ａ〜８Ｄは、受信した検索信号に対して応答信号を出力する。応答信号は、無線アクセスポイント５を介してコントローラ２へ送信される。コントローラ２は、ポータブル端末８Ａ〜８Ｄから応答信号を受信すると、その応答信号に基づき検出したポータブル端末８Ａ〜８Ｄの詳細情報を取得するための要求をポータブル端末８Ａ〜８Ｄへ送信する。ポータブル端末８Ａ〜８Ｄは、受信した詳細情報取得要求に対して、自身の詳細情報を無線アクセスポイント５を介してコントローラ２へ送信する。コントローラ２は、ポータブル端末８Ａ〜８Ｄから送信される詳細情報を受信する。コントローラ２は、ネットワークに複数のポータブル端末が存在する場合には、それぞれのポータブル端末８Ａ〜８Ｄの詳細情報を取得する。
【００９７】
コントローラ２は、音声出力部２０２Ａにおけるスピーカーから音声を出力する（Ｓ１００１）。
【００９８】
ポータブル端末８Ａ〜８Ｄは、音声入力部２０６に含まれるマイクロホンを動作させ、周辺の音声を集音する。ポータブル端末８Ａ〜８Ｄは、コントローラ２の音声出力部２０２Ａから出力された音声から、音声指紋情報を生成する（Ｓ１００２）。
【００９９】
次にコントローラ２は、生成した音声指紋情報を含むコンテンツ情報取得要求をサーバ装置４に送信する（Ｓ１００３）。
【０１００】
サーバ装置４は、コンテンツ情報取得要求を受信すると、コンテンツ情報をコントローラ２へ送信する。コントローラ２は、サーバ装置４から送信されるコンテンツ情報を受信する（Ｓ１００４）。
【０１０１】
次にコントローラ２は、ＬＡＮに接続されているポータブル端末８Ａ〜８Ｄに対して、音声指紋情報取得要求を送信する（Ｓ１００５）。
【０１０２】
ポータブル端末８Ａ〜８Ｄは、音声指紋情報取得要求を受信すると、音声指紋情報をコントローラ２へ送信する。コントローラ２は、ポータブル端末８Ａ〜８Ｄから送信される音声指紋情報を受信する（Ｓ１００６）。
【０１０３】
コントローラ２は、検出した全てのポータブル端末に対して音声指紋情報を取得する（Ｓ１００７）。
【０１０４】
コントローラ２は、ポータブル端末の音声指紋情報を取得した後、取得した音声指紋情報を含むコンテンツ情報取得要求をサーバ装置４に送信する（Ｓ１００８）。
【０１０５】
サーバ装置４は、コンテンツ情報取得要求を受信すると、コンテンツ情報をコントローラ２へ送信する。コントローラ２は、サーバ装置４から送信されるコンテンツ情報を受信する（Ｓ１００９）。
【０１０６】
コントローラ２は、音声指紋情報を取得した全てのポータブル端末に対応してコンテンツ情報を取得する（Ｓ１０１０）。
【０１０７】
次にコントローラ２は、自身の映像音声出力部より出力した音声情報から生成した音声指紋情報に対応するコンテンツ情報Ｃｏｎ３と、ＬＡＮに接続されているポータブル端末から取得した音声指紋情報に対応するコンテンツ情報Ｃｏｎ４Ａ及びＣｏｎ４Ｂとを比較する（Ｓ１０１１）。その比較の結果、コントローラ２は、コンテンツ情報Ｃｏｎ３と一致するコンテンツ情報に対応した音声指紋情報を送信してきた機器とのペアリングを実施する（Ｓ１０１２）。これにより、コントローラ２は、近くにあるポータブル端末とのペアリングが実行される。
【０１０８】
コントローラ２は、取得した全てのＤＴＶのコンテンツ情報との比較処理が終了すると、ペアリング処理を終了する（Ｓ１０１３）。
【０１０９】
上述の一連の処理により、コントローラ２により、ネットワークに接続された複数のポータブル端末の中から、コントローラ２の音声が到達する程度の距離にあるポータブル端末と自動的にペアリングすることが可能となる。したがって、ユーザは、コントローラ２を操作する位置に応じて、近くにあるポータブル端末を手動で選択する必要がなくなる。
【０１１０】
なお、本実施形態では、コントローラ２が、ポータブル端末の音声指紋情報を取得し、取得した音声指紋情報を利用して、サーバ装置４から音声指紋情報に対応したコンテンツ情報を取得しているが、その限りではない。
【０１１１】
例えば、図１２に示すようにそれぞれのポータブル端末８Ａ及び８Ｂが、自身の音声入力部２０６から入力している音声から音声指紋情報を生成し、生成した音声指紋情報を利用して、サーバ装置４に対してコンテンツ情報を問い合わせるようにしても良い（図１２におけるＳ１１０４〜Ｓ１１０７）。この場合、コントローラ２は、それぞれのポータブル端末８Ａ及び８Ｂに対して、コンテンツ情報取得要求を送信し（Ｓ１１０８、Ｓ１１１０）、応答としてコンテンツ情報を受信する（Ｓ１１０９、Ｓ１１１１）。なお、図１２において、処理Ｓ１１００、Ｓ１１０１、Ｓ１１０２、Ｓ１１０３は、図１０に示す処理Ｓ８００、Ｓ８０１、Ｓ８０２、Ｓ８０３の処理内容と同等である。
【０１１２】
また、図１３に示すように、コントローラ２、第１のポータブル端末８Ａ、第２のポータブル端末８Ｂのそれぞれから音声指紋情報を取得したサーバ装置４が、コントローラ２の音声指紋情報に対応したコンテンツ情報と一致するコンテンツ情報に対応した音声指紋情報を送信してきたポータブル端末８Ａ及び８Ｂとコントローラ２とのペアリング（Ｓ１２０８）を実施しても良い。この場合、コントローラ２は、サーバ装置４に対して、ペアリング機器情報取得要求（Ｓ１２０９）を送信し、サーバ装置４からペアリング機器情報を含む応答を受信する（Ｓ１２１０）ことで、ペアリング機器を識別する）。なお、図１３において、処理Ｓ１２００、Ｓ１２０１、Ｓ１２０２、Ｓ１２０３は、図１０に示す処理Ｓ８００、Ｓ８０１、Ｓ８０２、Ｓ８０３の処理内容と同等である。
【０１１３】
なお、サーバ装置４は、コンテンツ識別サーバの一例である。第１のＤＴＶ３Ａ、第２のＤＴＶ３Ｂは、機器の一例である。コントローラ２、第１のポータブル端末８Ａ、第２のポータブル端末８Ｂ、第３のポータブル端末８Ｃ、第４のポータブル端末８Ｄは、ポータブル端末の一例である。音声入力部２０６は、音声入力部の一例である。制御部２０１は、音声指紋情報生成部、ペアリング機器決定部の一例である。通信部２０５は、通信部の一例である。通信部４０５は、副通信部の一例である。制御部４０１は、コンテンツ識別部、副ペアリング機器決定部の一例である。
【産業上の利用可能性】
【０１１４】
本願の開示は、家庭内にあるデジタルビデオレコーダ（ＤＶＲ）等のサーバ装置にあるコンテンツを、コントローラを介して、レンダラと呼ばれる機能を有したデジタルテレビ（ＤＴＶ）等の再生装置に表示させて視聴するシステムや、システムを構成する携帯可能なコントローラやポータブル端末、及びＤＴＶ等の再生装置に利用することが可能である。
【符号の説明】
【０１１５】
１  ペアリングシステム
２  コントローラ
３、３Ａ、３Ｂ  デジタルテレビ（ＤＴＶ）
４  サーバ装置
５  無線アクセスポイント
６  無線子機
７  ネットワークケーブル
８、８Ａ、８Ｂ、８Ｃ、８Ｄ  ポータブル端末
９  インターネット
２０１  制御部
２０２  映像音声出力部
２０３  操作入力部
２０４  記録部
２０５  通信部
２０６  音声入力部
２０７  バッファ部
２０８  記憶部
３０１  制御部
３０２  映像出力部
３０３  放送受信部
３０４  操作入力部
３０５  通信部
３０６  バッファ部
３０７  記憶部
３０８  音声出力部
【図１】
0005421316.tif 000002
【図２】
0005421316.tif 000003
【図３】
0005421316.tif 000004
【図４】
0005421316.tif 000005
【図５】
0005421316.tif 000006
【図６】
0005421316.tif 000007
【図７】
0005421316.tif 000008
【図８】
0005421316.tif 000009
【図９】
0005421316.tif 000010
【図１０】
0005421316.tif 000011
【図１１】
0005421316.tif 000012
【図１２】
0005421316.tif 000013
【図１３】
0005421316.tif 000014
【図１４】
0005421316.tif 000015
【図１５】
0005421316.tif 000016